(57)【要約】【課題】紫外線を照射して殺菌処理をする方法であって、人体への影響を抑制し、更には、紫外線照射後に生じる異臭をも抑制することを可能にする。【解決手段】この殺菌方法は、波長２００ｎｍ以上２３０ｎｍ以下の紫外線を手指又は腕の皮膚に対して照射する工程（ａ）と、前記皮膚の前記紫外線が照射された領域に、以下のアミノ酸群Ａから選択される少なくとも一つのアミノ酸又はアミノ酸誘導体を含有してなる皮膚外用剤、化粧料、又は水溶液を塗布する工程（ｂ）と、を有する。（アミノ酸群Ａ：  バリン、ロイシン、イソロイシン、グルタミン酸、アルギニン、セリン、アスパラギン酸、プロリン、グリシン）【選択図】        図１
2019062989.tif 000002
【特許請求の範囲】
【請求項１】
波長２００ｎｍ以上２３０ｎｍ以下の紫外線を手指又は腕の皮膚に対して照射する工程（ａ）と、
前記皮膚の前記紫外線が照射された領域に、以下のアミノ酸群Ａから選択される少なくとも一つのアミノ酸又はアミノ酸誘導体を含有してなる皮膚外用剤、化粧料、又は水溶液を塗布する工程（ｂ）と、を有することを特徴とする殺菌方法。
（アミノ酸群Ａ：  バリン、ロイシン、イソロイシン、グルタミン酸、アルギニン、セリン、アスパラギン酸、プロリン、グリシン）
【請求項２】
前記工程（ｂ）において塗布される前記皮膚外用剤、化粧料、又は水溶液は、保湿成分又は密着／浸透成分を含むことを特徴とする請求項１に記載の殺菌方法。
【請求項３】
前記工程（ａ）は、ＫｒＣｌ、又はＫｒＢｒを発光ガスとするエキシマランプからの放射光を前記皮膚に照射する工程であることを特徴とする請求項１又は２に記載の殺菌方法。
【請求項４】
前記工程（ａ）及び（ｂ）が、非医療現場で行われることを特徴とする請求項１〜３のいずれか１項に記載の殺菌方法。
【発明の詳細な説明】
【技術分野】
【０００１】
本発明は、殺菌方法に関し、特に人体の手指又は腕の皮膚を殺菌する方法に関する。
【背景技術】
【０００２】
従来、紫外線を照射して殺菌する技術が知られている。例えば、ＤＮＡは波長２６０ｎｍ付近に最も高い吸収特性を示すことが知られている。そして、低圧水銀ランプは、波長２５４ｎｍ付近に高い発光スペクトルを示す。このため、低圧水銀ランプを用いて殺菌を行う技術が広く利用されている。
【０００３】
しかし、このような波長帯の紫外線を人体に照射すると、人体に影響を及ぼすリスクがあることが知られている。皮膚は、表面に近い部分から表皮、真皮、その深部の皮下組織の３つの部分に分けられ、表皮は、更に表面に近い部分から順に、角質層、顆粒層、有棘層、基底層の４層に分けられる。波長２５４ｎｍの紫外線が人体に照射されると、角質層を透過して、顆粒層や有棘層、場合によっては基底層に達し、これらの層内に存在する細胞のＤＮＡに吸収される。この結果、皮膚がんのリスクが発生する。
【０００４】
このような課題に鑑み、下記特許文献１には、医療現場において波長２０７ｎｍ〜２２０ｎｍの紫外線を用いることで、人体へのリスクを回避しながら殺菌処理を行う技術が開示されている。
【先行技術文献】
【特許文献】
【０００５】
【特許文献１】特許第６０２５７５６号公報
【発明の概要】
【発明が解決しようとする課題】
【０００６】
医療現場では、二次感染などを抑制する必要があるため、殺菌処理が不可欠である。上記特許文献１の技術によれば、防護服、防護フード、防護眼鏡などの防護手段を付けずに紫外線を照射することで患者や病院関係者の人体への影響を抑制しながら殺菌処理が行えるという利点がある。
【０００７】
ところで、殺菌処理は、医療現場に限られず、特に食品を扱う現場においても不可欠である。食品工場やコンビニエンスストアでは、食品を扱う際にアルコール殺菌が義務付けられているところが一般的である。例えば、食品工場では、作業員が工場ラインに入る前に石鹸で手指及び腕を事前洗浄した後、アルコールスプレーを噴霧して殺菌洗浄が行われる。この作業は、ラインに入る都度、又は持ち場所を変更する都度行われることが多い。食品を扱う店舗においても、店舗スタッフが、石鹸での事前洗浄とアルコールスプレーを用いた殺菌洗浄とを、その都度行っている場合が少なくない。
【０００８】
しかしながら、このように手指及び腕に対して石鹸及びアルコール洗浄を一日に複数回も行うことで、皮膚の油分が飛ばされて肌荒れを生じさせるリスクがある。また、このような洗浄処理を頻繁に行うことは、スタッフに対して多くの負担を課すことにもなる。
【０００９】
本発明者は、このように食品などを扱う現場においても、人体に影響が少ないとされている波長２３０ｎｍ以下の紫外線を用いて殺菌処理を行うことで、スタッフに対する人体的及び作業的な負担を軽減させることができるのではないかと考え、実用的な課題が存在しないかにつき、鋭意研究を行った。その結果、波長２２２ｎｍにピークを有するＫｒＣｌエキシマランプからの放射光を人間の手指や腕に照射したところ、異臭が発生することを新たに発見した。より具体的には、毛が焼けたような臭いが発生することを確認した。なお、この異臭は、紫外線照射後に石鹸で洗浄しても取れないものであることを確認した。
【００１０】
特許文献１に記載されているように、医療現場においてこのような波長帯の紫外線を人体に照射した場合、医療現場では独特の薬品臭が存在することから、このような紫外線照射による特有の臭いは問題になりにくい。しかしながら、食品を扱う現場や店舗などにおいて、このような異臭が存在することは問題であり、紫外線照射によって殺菌処理を行うことの導入への妨げとなる。
【００１１】
なお、食品を扱う現場や店舗などにおいて、この異臭を抑制するために、アルコールを含む消臭スプレーを噴霧するという方法も考えられるが、アルコール成分が揮発した後は再び異臭が発生してしまうため、効果的ではない。
【００１２】
本発明は、上記の課題に鑑み、紫外線を照射して殺菌処理をする方法であって、人体への影響を抑制し、更には、紫外線照射後に生じる異臭をも抑制することを可能にする方法を提供することを目的とする。
【課題を解決するための手段】
【００１３】
本発明に係る殺菌方法は、
波長２００ｎｍ以上２３０ｎｍ以下の紫外線を手指又は腕の皮膚に対して照射する工程（ａ）と、
前記皮膚の前記紫外線が照射された領域に、以下のアミノ酸群Ａから選択される少なくとも一つのアミノ酸又はアミノ酸誘導体を含有してなる皮膚外用剤、化粧料、又は水溶液を塗布する工程（ｂ）と、を有することを特徴とする。
（アミノ酸群Ａ：  バリン、ロイシン、イソロイシン、グルタミン酸、アルギニン、セリン、アスパラギン酸、プロリン、グリシン）
【００１４】
前記工程（ｂ）において塗布される前記皮膚外用剤、化粧料、又は水溶液は、保湿成分又は密着／浸透成分を含むものとすることができる。
【００１５】
前記工程（ａ）は、ＫｒＣｌ、又はＫｒＢｒを発光ガスとするエキシマランプからの放射光を前記皮膚に照射する工程であるものとすることができる。
【００１６】
前記工程（ａ）及び（ｂ）が、非医療現場で行われるものとすることができる。
【発明の効果】
【００１７】
本発明によれば、殺菌処理目的で紫外線を照射しながらも、人体への影響及び処理後に生じる異臭の発生を抑制することができる。
【図面の簡単な説明】
【００１８】
【図１】紫外線照射装置の構成を模式的に示す図面である。
【図２】紫外線照射装置の別の構成を模式的に示す図面である。
【発明を実施するための形態】
【００１９】
本発明に係る方法は、以下の２つの工程を含んで構成される。当該２つの工程は、波長２００ｎｍ以上２３０ｎｍ以下の紫外線を手指又は腕の皮膚に対して照射する工程（ａ）と、皮膚の紫外線が照射された領域に、以下のアミノ酸群Ａから選択される少なくとも一つのアミノ酸又はアミノ酸誘導体を含有してなる皮膚外用剤、化粧料、又は水溶液を塗布する工程（ｂ）である。なお、工程（ｂ）にいう「アミノ酸群Ａ」とは、バリン、ロイシン、イソロイシン、グルタミン酸、アルギニン、セリン、アスパラギン酸、プロリン、グリシンを含む群である。
【００２０】
＜工程（ａ）：紫外線照射工程＞
波長２００ｎｍ以上２３０ｎｍ以下の紫外線は、手指又は腕の皮膚に照射しても、人体への影響が小さい。これは、当該波長帯の紫外線を人体に照射しても、皮膚の角質層で吸収され、それよりも内側（基底層側）には進行しないためである。角質層に含まれる角質細胞は細胞核を有しない細胞であるため、例えば有棘細胞のようにＤＮＡが存在しない。このため、波長２５０ｎｍ程度の紫外線を照射する場合のように、細胞に吸収されてＤＮＡが破壊されるというリスクがほとんど存在しない。このため、求められる殺菌性能に応じて紫外線の強度や照射時間を調整することも可能である。
【００２１】
人体の細胞核（ＤＮＡ）への影響を抑制するという観点からは、紫外線の波長は短い方が好ましい。しかし、波長２００ｎｍ未満の紫外線を照射したとしても、当該波長帯の光は空気（空気中の酸素）に吸収されるため、手指又は腕の皮膚に到達する光量が大幅に減少してしまう。この結果、殺菌効果が担保できない。
【００２２】
波長２００ｎｍ以上２３０ｎｍ以下の紫外線として利用される光源としては、ＫｒＣｌ、又はＫｒＢｒを含む発光ガスとするエキシマランプが利用可能である。なお、この光源において、２３０ｎｍより長波長の光をカットするフィルタを内蔵するのが好ましい。  
【００２３】
例えば、図１に示すような紫外線照射装置１を利用することができる。紫外線照射装置１は、波長２００ｎｍ以上２３０ｎｍ以下の紫外線を照射可能な光源２と、手、手首、腕などの紫外線照射対象領域を装置１内に挿入するための挿入口３を備える。なお、必要に応じて、図１に示すように、台座４を備えるものとすることができる。台座４は、光源２と照射対象物（手首、手のひらなど）との離間距離を調整するために設けられている。この紫外線照射装置１を利用する際には、挿入口３から手や手首を挿入し、光源２から紫外線Ｌ１を手や手首、腕に照射させる。なお、紫外線照射装置１は、所定のセンサ（不図示）を内蔵しており、手や手首を挿入口３から挿入したことを検知すると、自動的に光源２に対して電力が供給されて、紫外線Ｌ１が所定の時間だけ照射される構成としても構わない。
【００２４】
波長２００ｎｍ以上２３０ｎｍ以下の紫外線を手指や腕に照射すると、毛の焼けたような臭い（異臭）が生じた。この臭いは石鹸洗浄でも取れないものであった。詳細は検証例を参照して後述する。
【００２５】
＜工程（ｂ）：アミノ酸塗布工程＞
バリン、ロイシン、イソロイシン、グルタミン酸、アルギニン、セリン、アスパラギン酸、プロリン、グリシンを含むアミノ酸群Ａから選択される少なくとも一つのアミノ酸又はアミノ酸誘導体を含有する皮膚外用剤、化粧料、又は水溶液を、工程（ａ）で紫外線を照射した領域に塗布する。これにより、上述した異臭が除去されることが確認された。なお、以下では、「アミノ酸群Ａから選択される少なくとも一つのアミノ酸又はアミノ酸誘導体を含有する皮膚外用剤、化粧料、又は水溶液」を、「特定溶媒Ｂ」と称する。
【００２６】
本発明者は、工程（ａ）の実行後に発生する異臭の原因として、紫外線が照射されることで角層細胞に含まれるケラチン（表皮ケラチン）に含まれるアミノ酸の一部が破壊されてアミノ酸とは異なる別の物質が生成された結果、当該物質由来の臭いが発生したものと考察した。このため、工程（ｂ）において、特定溶媒Ｂを紫外線が照射された領域の皮膚に塗布することで、破壊されたアミノ酸が補修されてアルデヒドが減少し、この結果、異臭が除去されたものと推察される。詳細については、検証例を参照して後述される。
【００２７】
なお、波長２５０ｎｍ程度の紫外線を手指又は腕に照射した場合には、異臭が存在するか否かという問題以前に、上述したように、そもそも人体への影響が大きいため異臭の問題は顕在化しにくい。更にいえば、仮に波長２５０ｎｍ程度の紫外線を手指又は腕に照射すると、その光は角質層を通過して、顆粒層や有棘層、場合によっては基底層に達することから、角質細胞に吸収される光量は、波長２００ｎｍ以上２３０ｎｍ以下の紫外線を照射する場合よりも低下する。このため、波長２５０ｎｍ程度の紫外線を照射する場合には、表皮ケラチンに含まれるアミノ酸の一部が破壊されたことに起因する異臭の問題は、波長２００ｎｍ以上２３０ｎｍ以下の紫外線を照射する場合よりは、顕在化しにくいと考えられる。
【００２８】
特定溶媒Ｂの剤形は任意であり、液状、エマルション、ジェル状、スプレー状、ムース状等のものとして調製される。また、特定溶媒Ｂは、アミノ酸群Ａから選択される少なくとも一つのアミノ酸又はアミノ酸誘導体を含有していればよく、通常、医薬品、医薬部外品、化粧品等に配合される他の成分、例えば、陰イオン性界面活性剤、両性界面活性剤、非イオン性界面活性剤、増粘剤、油剤、防腐剤、香料、保湿剤、生理活性成分、酸化防止剤、金属イオン封鎖剤、ｐＨ調整剤、水、アルコール類、色素、香料等の成分を適宜配合することができる。
【００２９】
なお、工程（ａ）で破壊された表皮ケラチンに含まれるアミノ酸を補修するという観点からは、特定溶媒Ｂには、保湿及び密着／浸透の機能を有する成分が含有されているのがより好ましい。保湿機能を有する成分としては、例えば、ヒアルロン酸ナトリウム、ピロリドンカルボン酸ナトリウム水溶液（ＰＣＡ−Ｎａ）、ブチレングリコール、グリセリンなどが利用可能である。また、密着／浸透機能を有する成分としては、ジメチコン、カルボマー（カルボキシビニルポリマー）などが利用可能である。
【００３０】
以下、検証例を参照しながら本発明を詳細に説明する。
【００３１】
［検証例１］
図１に示す紫外線照射装置１を用いて、検証員Ｍ１、Ｍ２、Ｍ３、Ｍ４、Ｍ５、Ｍ６の６名に対して、右手の手のひらに、波長２２２ｎｍにピークを有する紫外線を、照度３．８ｍＷ／ｃｍ2、照射時間３０秒間で照射した。手のひらと光源の離間距離は８ｃｍである。紫外線照射装置１は、ＫｒＣｌを発光ガスとするエキシマランプを光源２とする装置である。なお、紫外線照射箇所と光源との離間距離は、台座４によって調整した。以下の検証例においても同様である。
【００３２】
そして、（１−１）照射直後、（１−２）照射後１分経過後、（１−３）照射後１分経過した後にアルカリ石鹸を用いて手指及び腕を洗浄後、のそれぞれの時点における臭いの有無を判定した。判定結果を表１に示す。
【００３３】
【表１】
2019062989.tif 000003
【００３４】
表１に示すように、６名全員から、（１−１）照射直後、（１−２）照射後１分経過後、（１−３）照射後１分経過した後に石鹸を用いて手指及び腕を洗浄後、のいずれの場合についても異臭が発生した。
【００３５】
更に、紫外線を照射する前に、手指及び腕をアルコール殺菌した後で、検証例１と同様に、検証員Ｍ１、Ｍ２、Ｍ３、Ｍ４、Ｍ５、Ｍ６の６名に対して手指及び手首付近の腕に対して、紫外線を照射した。この場合も、検証例１と同様に、６名全員から、（１−１）照射直後、（１−２）照射後１分経過後、（１−３）照射後１分経過した後に石鹸を用いて手指及び腕を洗浄後、のいずれの場合にも異臭が発生した。
【００３６】
［検証例２］
ジャパン・ティッシュ・エンジニアリング社製の人工皮膚に対して、紫外線照射装置１と同じ光源を用いて、波長２２２ｎｍにピークを有する紫外線を照射した。その結果、検証例１と同様の異臭が発生した。
【００３７】
人工皮膚は無菌状態で作製されているところ、検証例１及び検証例２の結果から、この異臭は菌由来の臭いではなく、タンパク質に由来した臭いであると考えられる。
【００３８】
［検証例３］
表皮に含まれるタンパク質の構成材であるアミノ酸に照準を当て、以下の１８種類のアミノ酸に対し、波長２２２ｎｍにピークを有する紫外線の照射前後での臭いの変化を検証した。具体的には、φ４０シャーレに各アミノ酸の水溶液３ｍＬを投入し、紫外線照射装置１と同じ光源を用いて、照度３．８ｍＷ／ｃｍ2、照射時間３０秒間で紫外線を照射した。シャーレと光源の離間距離は８ｃｍである。１８種類のアミノ酸は、シスチン、グルタミン酸、ロイシン、アルギニン、セリン、トレオニン（「スレオニン」とも称される。）、アスパラギン酸、プロリン、グリシン、バリン、アラニン、フェニルアラニン、イソロイシン、チロシン、リジン、ヒスチジン、メチオニン、トリプトファンである。これらの１８種類のアミノ酸は、いずれも表皮に含まれるタンパク質を構成する材料として知られている。
【００３９】
判定結果を表２に示す。なお、表２には、紫外線照射前の臭い、紫外線照射後の臭い、紫外線照射後における検証例１での臭いとの対比について記載している。なお、検証例１における臭いとの対比は、検証員Ｍ１、Ｍ２、Ｍ３、Ｍ４、Ｍ５、Ｍ６の６名による官能評価で行われた。
【００４０】
【表２】
2019062989.tif 000004
【００４１】
表２に示すように、ロイシン、バリン、イソロイシン、メチオニンの各アミノ酸においては、波長２２２ｎｍの紫外線を照射後に、人間の手指又は腕への照射後とほぼ同じ臭いが発生していることが確認された。この検証結果から、波長２２２ｎｍの紫外線を手指又は腕に照射したときに発生した異臭の原因は、皮膚を構成するアミノ酸のうち、ロイシン、バリン、イソロイシン、メチオニンのいずれかが分解されたことに起因して生じたものであると考えられる。
【００４２】
［検証例４］
検証例１と同様の方法で、図１に示す紫外線照射装置１を用いて、各検証員Ｍ１、Ｍ２、Ｍ３、Ｍ４、Ｍ５、Ｍ６の６名に対して右手の手のひらに、波長２２２ｎｍにピークを有する紫外線を、照度３．８ｍＷ／ｃｍ2、照射時間３０秒間で照射した。
【００４３】
その後、検証例３で利用された１８種類のアミノ酸（シスチン、グルタミン酸、ロイシン、アルギニン、セリン、トレオニン、アスパラギン酸、プロリン、グリシン、バリン、アラニン、フェニルアラニン、イソロイシン、チロシン、リジン、ヒスチジン、メチオニン、トリプトファン）の各水溶液（モル濃度：１ｍＭ）を紫外線が照射された領域に塗布した。具体的には、各水溶液をスプレー噴霧した後、手のひらで揉み込むようにして塗布した。そして、各水溶液の塗布の前後における臭いの変化を検証した。
【００４４】
判定結果を表３に示す。なお、表３には、検証員Ｍ１に対する結果のみを示しているが、他の５名についても全く同じ結果が得られた。
【００４５】
【表３】
2019062989.tif 000005
【００４６】
表３の結果から、検証例３において異臭の発生原因であると推察された、ロイシン、バリン、イソロイシン、又はメチオニンの水溶液を、紫外線照射後に塗布すると、異臭が確認されなくなることが分かる。また、ロイシン、バリン、イソロイシン、メチオニンとは別に、グルタミン酸、アルギニン、セリン、アスパラギン酸、プロリン、又はグリシンの水溶液を、紫外線照射後に塗布した場合でも、異臭が確認されなくなることが分かる。
【００４７】
検証例３及び検証例４の結果から、波長２２２ｎｍの紫外線が皮膚に対して照射されることで、アミノ酸の一部が破壊されて異臭が発生するが、その後に、特定のアミノ酸を紫外線照射後の皮膚に塗布することで、破壊されたアミノ酸の一部又は全部が修復され、異臭発生要因が消失し、異臭が発生しなくなることが結論付けられる。
【００４８】
なお、上記検証例は、波長２２２ｎｍの紫外線を用いて行われたが、波長２２２ｎｍの近傍、並びに波長２２２ｎｍより短波長の光においても、同様の原理により工程（ａ）において異臭が発生し、工程（ｂ）において発生した異臭が抑制されることが結論付けられる。
【００４９】
また、上記検証例３及び４の結果から、波長２２２ｎｍの紫外線を照射後に、特定のアミノ酸を塗布することで異臭が発生しなくなることが確認されたが、同様の理由により、この特定のアミノ酸を含む材料や、この特定のアミノ酸の誘導体を含む材料を塗布することでも異臭の発生が抑制できることが分かる。
【００５０】
［検証例５］
検証例４と同様に、図１に示す紫外線照射装置１を用いて、各検証員Ｍ１、Ｍ２、Ｍ３、Ｍ４、Ｍ５、Ｍ６の６名に対して、右手の手のひらに、波長２２２ｎｍにピークを有する紫外線を、照度３．８ｍＷ／ｃｍ2、照射時間３０秒間で照射した。
【００５１】
その後、下記４例の市販品を紫外線が照射された領域に塗布した。
【００５２】
（市販品Ａ）松山樹脂株式会社製、アミノ酸浸透ジェル
含有保湿成分：ヒアルロン酸Ｎａ、ＰＣＡ−Ｎａ、ブチレングリコール、乳酸Ｎａ
含有アミノ酸：プロリン、グリシン、アルギニン、ベタイン
含有密着／浸透成分：カルボマー（カルボキシビニルポリマー）
【００５３】
（市販品Ｂ）ニベア花王株式会社製、アトリックスハンドジェル
含有保湿成分：ヒアルロン酸Ｎａ、ＰＣＡ−Ｎａ、ブチレングリコール、グリセリン
含有アミノ酸：プロリン、グリシン、アルギニン、ベタイン、ラウロイルグルタミン酸
含有密着／浸透成分：ジメチコン、カルボマー（カルボキシビニルポリマー）
【００５４】
（市販品Ｃ）資生堂株式会社製、メンズデオドラントスプレー
含有保湿成分：なし
含有アミノ酸：なし
含有密着／浸透成分：なし
その他成分：殺菌剤（ＩＰＭＰ（イソプロピルメチルフェノール）、酸化亜鉛）、消臭剤（みょうばん）
【００５５】
（市販品Ｄ）大正製薬株式会社製、日焼け止めクリーム
含有保湿成分：グリセリン、ブチレングリコール
含有アミノ酸：なし
含有密着／浸透成分：ジメチコン
その他成分：ＵＶ吸収剤（メトキシケイヒ酸エチルヘキシル、ジエチルアミノヒドロキシベンゾイル安息香酸ヘキシル）、油脂類（ツヤ出し、肌保護等） 
【００５６】
判定結果を表４に示す。なお、表４には、検証員Ｍ１に対する結果のみを示しているが、他の５名についても全く同じ結果が得られた。
【００５７】
【表４】
2019062989.tif 000006
【００５８】
表４の結果から、密着、浸透、消臭などの機能目的の薬剤を塗布しただけでは、必ずしも紫外線照射後の異臭は除去されないことが確認された。この表４の結果からも、検証例１〜４で検証した結果に基づいて得られた考察が正しいことが示されている。すなわち、波長２２２ｎｍの紫外線が皮膚に対して照射されることで、アミノ酸の一部が破壊されて異臭が発生するが、その後に、特定のアミノ酸（検証例５では、プロリン、グリシン、アルギニン）を紫外線照射後の皮膚に塗布することで、破壊されたアミノ酸の一部又は全部が修復されて異臭発生要因が消失し、異臭が発生しなくなることが確認される。
【００５９】
［別実施形態］
図２に示すように、紫外線照射装置１が、特定溶媒Ｂ、すなわちバリン、ロイシン、イソロイシン、グルタミン酸、アルギニン、セリン、アスパラギン酸、プロリン、グリシンから選択される少なくとも一つのアミノ酸又はアミノ酸誘導体を含有する皮膚外用剤、化粧料、又は水溶液を、紫外線照射箇所に噴霧する噴霧口５を備えるものとすることができる。これにより、作業者は、自らの手指や腕を装置１内に挿入することで、自動的に所定時間にわたって、波長２００ｎｍ以上２３０ｎｍ以下の紫外線が照射された後、引き続き特定溶媒Ｂが照射領域に噴霧される。よって、作業員は、その後に自らの手指や腕を装置１の外へ出して、手で特定溶媒Ｂを揉み込むのみで、異臭の発生を抑制しながらも、殺菌処理を行うことができる。
【符号の説明】
【００６０】
１      ：    紫外線照射装置
２      ：    光源
３      ：    挿入口
４      ：    台座
５      ：    噴霧口
Ｌ１    ：    紫外線
Ｂ      ：    特定溶媒
【図１】
2019062989.tif 000007
【図２】
2019062989.tif 000008
【手続補正書】
【提出日】平成31年1月16日(2019.1.16)
【手続補正１】
【補正対象書類名】特許請求の範囲
【補正対象項目名】全文
【補正方法】変更
【補正の内容】
【特許請求の範囲】
【請求項１】
波長２００ｎｍ以上２３０ｎｍ以下の紫外線を手指又は腕の皮膚に対して照射する工程（ａ）と、
前記皮膚の前記紫外線が照射された領域に、以下のアミノ酸群Ａから選択される少なくとも一つのアミノ酸又はアミノ酸誘導体を含有してなる皮膚外用剤、化粧料、又は水溶液を塗布する工程（ｂ）と、を有することを特徴とする殺菌方法。
（アミノ酸群Ａ：  バリン、ロイシン、イソロイシン、グルタミン酸、アルギニン、セリン、アスパラギン酸、プロリン、グリシン）
【請求項２】
前記工程（ｂ）において塗布される前記皮膚外用剤、化粧料、又は水溶液は、保湿成分又は密着／浸透成分を含むことを特徴とする請求項１に記載の殺菌方法。
【請求項３】
前記工程（ａ）は、ＫｒＣｌ、又はＫｒＢｒを発光ガスとするエキシマランプからの放射光を前記皮膚に照射する工程であることを特徴とする請求項１又は２に記載の殺菌方法。
【請求項４】
前記工程（ａ）及び（ｂ）が、非医療現場で行われることを特徴とする請求項１〜３のいずれか１項に記載の殺菌方法。
【請求項５】
手、手首、又は腕の皮膚を殺菌するための殺菌装置であって、
波長２００ｎｍ以上２３０ｎｍ以下の紫外線を照射可能な光源と、
手、手首、又は腕を含む紫外線照射対象領域を前記殺菌装置の外側から当該殺菌装置内に挿入するための挿入口と、
以下のアミノ酸群Ａから選択される少なくとも一つのアミノ酸又はアミノ酸誘導体を含有してなる皮膚外用剤、化粧料、又は水溶液を噴霧する噴霧口とを備えたことを特徴とする殺菌装置。
（アミノ酸群Ａ：  バリン、ロイシン、イソロイシン、グルタミン酸、アルギニン、セリン、アスパラギン酸、プロリン、グリシン）
【請求項６】
前記光源は、ＫｒＣｌ、又はＫｒＢｒを発光ガスとするエキシマランプを含むことを特徴とする、請求項５に記載の殺菌装置。
【請求項７】
前記光源から前記紫外線照射対象領域に前記紫外線が照射された後、自動的に前記噴霧口から前記皮膚外用剤、化粧料、又は水溶液が噴霧されることを特徴とする、請求項５又は６に記載の殺菌装置。
【請求項８】
前記挿入口の内側に配置され、前記紫外線照射対象領域と前記光源との離間距離を調整するための台座を備えたことを特徴とする、請求項５〜７のいずれか１項に記載の殺菌装置。
【請求項９】
前記紫外線照射対象領域が前記殺菌装置内に挿入されたことを検知可能なセンサを備え、
前記センサによって、前記紫外線照射対象領域が前記殺菌装置内に挿入されたことが検知されると、前記光源が自動的に所定の時間だけ前記紫外線を照射することを特徴とする、請求項５〜８のいずれか１項に記載の殺菌装置。
【請求項１０】
非医療用途であることを特徴とする、請求項５〜９のいずれか１項に記載の殺菌装置。
【手続補正３】
【補正対象書類名】明細書
【補正対象項目名】０００１
【補正方法】変更
【補正の内容】
【０００１】
本発明は、殺菌方法に関し、特に人体の手指又は腕の皮膚を殺菌する方法に関する。また、本発明は、殺菌装置に関する。